(57)【要約】電子装置(100)に用いられ電子装置の二次電池(140)を充電する充電回路は、外部電源(202,236)から複数の結合方式によって供給電力を受け得る外部電源入力部(152,154,156)と、その外部電源入力部から供給される供給電力をその二次電池に供給する充電部(124)と、その二次電池の充電量を検出する検出部(128)と、その検出部によって検出された充電量が、外部電源とその外部電源入力部の間の結合方式に対応する閾値(Pmin)を超えた場合に、その外部電源入力部からの供給電力のその二次電池への供給を抑制するようその充電部を制御する充電制御部(122)と、を有する。【選択図】図１
2010055576.tif 000002
【特許請求の範囲】
【請求項１】
二次電池を電源として使用できる電子装置に用いられる、前記二次電池を充電する充電回路であって、  外部電源から複数の結合方式によって供給電力を受け得る外部電源入力部と、  前記外部電源入力部から供給される供給電力を前記二次電池に供給する充電部と、  前記二次電池の充電量を検出する検出部と、  前記検出部によって検出された充電量が、外部電源と前記外部電源入力部の間の結合方式に対応する閾値を超えた場合に、前記外部電源入力部からの供給電力の前記二次電池への供給を抑制するよう前記充電部を制御する充電制御部と、を有する充電回路。
【請求項２】
前記外部電源入力部は、外部電源から第１の結合方式によって供給電力を受けるための第１の電源入力部と、外部電源から第２の結合方式によって供給電力を受けるための第２の電源入力部と、を有し、  前記充電制御部は、前記検出された充電量が、前記第１の外部電源入力部に対応する第１の閾値を超えた場合に、前記第１の外部電源入力部からの供給電力の前記二次電池への供給を抑制するよう前記充電部を制御し、前記検出された充電量が、前記第２の外部電源入力部に対応する第２の閾値を超えた場合に、前記第２の外部電源入力部からの供給電力の前記二次電池への供給を抑制するよう前記充電部を制御するものであること、を特徴とする、請求項１に記載の充電回路。
【請求項３】
前記外部電源入力部は、外部電源からの供給電力を供給する給電接続器との結合によって外部電源から供給電力を受けるための第１の外部電源入力部と、外部電源からの供給電力を供給する結合部を有する台に前記電子装置が載置された場合に、前記台の前記結合部との結合によって外部電源からの供給電力を受けるための第１の外部電源入力部と、を有し、  前記第２の外部電源入力部に対応する前記第２の閾値は、前記第１の外部電源入力部に対応する前記第１の閾値よりも低い値であること、を特徴とする、請求項２に記載の充電回路。
【請求項４】
さらに、前記複数の結合方式と、前記複数の結合方式に対応する前記二次電池の充電量のそれぞれの閾値とを含む制御情報を格納する情報記憶部と、  前記外部電源入力部に供給電力を供給する外部電源と前記外部電源入力部との間の結合方式を特定する結合方式特定部と、を有し、  前記充電制御部は、前記結合方式特定部によって特定された結合方式に対応する閾値を、前記格納部によって格納された前記制御情報から取得するものであること、を特徴とする、請求項１または２に記載の充電回路。
【請求項５】
二次電池を電源として使用できる電子装置であって、  外部電源から複数の結合方式によって供給電力を受け得る外部電源入力部と、  前記外部電源入力部から供給される供給電力を前記二次電池に供給する充電部と、  前記二次電池の充電量を検出する検出部と、  前記検出部によって検出された充電量が、外部電源と前記外部電源入力部の間の結合方式に対応する閾値を超えた場合に、前記外部電源入力部からの供給電力の前記二次電池への供給を抑制するよう前記充電部を制御する充電制御部と、を具えることを特徴とする、電子装置。
【請求項６】
前記外部電源入力部は、外部電源から第１の結合方式によって供給電力を受けるための第１の電源入力部と、外部電源から第２の結合方式によって供給電力を受けるための第２の電源入力部と、を有し、  前記充電制御部は、前記検出された充電量が、前記第１の外部電源入力部に対応する第１の閾値を超えた場合に、前記第１の外部電源入力部からの供給電力の前記二次電池への供給を抑制するよう前記充電部を制御し、前記検出された充電量が、前記第２の外部電源入力部に対応する第２の閾値を超えた場合に、前記第２の外部電源入力部からの供給電力の前記二次電池への供給を抑制するよう前記充電部を制御するものであること、を特徴とする、請求項５に記載の電子装置。
【請求項７】
前記外部電源入力部は、外部電源からの供給電力を供給する給電接続器との結合によって外部電源から供給電力を受けるための第１の外部電源入力部と、外部電源からの供給電力を供給する結合部を有する台に前記電子装置が載置された場合に、前記台の前記結合部との結合によって外部電源からの供給電力を受けるための第１の外部電源入力部と、を有し、  前記第２の外部電源入力部に対応する前記第２の閾値は、前記第１の外部電源入力部に対応する前記第１の閾値よりも低い値であること、を特徴とする、請求項６に記載の電子装置。
【請求項８】
さらに、前記複数の結合方式と、前記複数の結合方式に対応する前記二次電池の充電量のそれぞれの閾値とを含む制御情報を格納する情報記憶部と、  前記外部電源入力部に供給電力を供給する外部電源と前記外部電源入力部との間の結合方式を特定する結合方式特定部と、を有し、  前記充電制御部は、前記結合方式特定部によって特定された結合方式に対応する閾値を、前記格納部によって格納された前記制御情報から取得するものであること、を特徴とする、請求項５または６に記載の電子装置。
【請求項９】
情報処理部および充電回路を有し二次電池を電源として使用できる電子装置において、外部電源から複数の結合方式によって供給電力を受け得る外部電源入力部と、前記外部電源入力部から供給される供給電力を前記二次電池に供給する充電部と、前記二次電池の充電量を検出する検出部と、を有する前記充電回路を制御するためのプログラムであって、  前記検出部によって検出された充電量が、外部電源と前記外部電源入力部の間の結合方式に対応する閾値を超えた場合に、前記外部電源入力部からの供給電力の前記二次電池への供給を抑制するよう前記充電部を制御する充電制御部として、前記情報処理部を機能させることを特徴とするプログラム。
【請求項１０】
前記外部電源入力部は、外部電源から第１の結合方式によって供給電力を受けるための第１の電源入力部と、外部電源から第２の結合方式によって供給電力を受けるための第２の電源入力部と、を有し、  前記充電制御部は、前記検出された充電量が、前記第１の外部電源入力部に対応する第１の閾値を超えた場合に、前記第１の外部電源入力部からの供給電力の前記二次電池への供給を抑制するよう前記充電部を制御し、前記検出された充電量が、前記第２の外部電源入力部に対応する第２の閾値を超えた場合に、前記第２の外部電源入力部からの供給電力の前記二次電池への供給を抑制するよう前記充電部を制御するものであること、を特徴とする、請求項９に記載のプログラム。
【請求項１１】
前記外部電源入力部は、外部電源からの供給電力を供給する給電接続器との結合によって外部電源から供給電力を受けるための第１の外部電源入力部と、外部電源からの供給電力を供給する結合部を有する台に前記電子装置が載置された場合に、前記台の前記結合部との結合によって外部電源からの供給電力を受けるための第１の外部電源入力部と、を有し、  前記第２の外部電源入力部に対応する前記第２の閾値は、前記第１の外部電源入力部に対応する前記第１の閾値よりも低い値であること、を特徴とする、請求項１０に記載のプログラム。
【請求項１２】
請求項９または１０に記載のプログラムであって、  前記複数の結合方式と、前記複数の結合方式に対応する前記二次電池の充電量のそれぞれの閾値とを含む制御情報を格納する情報記憶部と、前記外部電源入力部に供給電力を供給する外部電源と前記外部電源入力部との間の結合方式を特定する結合方式特定部と、を有する電子装置として、前記情報処理部を機能させ、  前記充電制御部は、前記結合方式特定部によって特定された結合方式に対応する閾値を、前記格納部によって格納された前記制御情報から取得するものであること、を特徴とするプログラム。
【請求項１３】
外部電源から複数の結合方式によって供給電力を受け得る外部電源入力部を有し、二次電池を電源として使用できる電子装置において前記二次電池を充電する充電方法であって、  前記二次電池の充電量を検出する検出ステップと、  前記検出ステップによって検出された充電量が、外部電源と前記外部電源入力部の間の結合方式に対応する閾値を超えた場合に、前記外部電源入力部からの供給電力の前記二次電池への供給を抑制する充電制御ステップと、を有する充電方法。
【請求項１４】
前記外部電源入力部は、外部電源から第１の結合方式によって供給電力を受けるための第１の電源入力部と、外部電源から第２の結合方式によって供給電力を受けるための第２の電源入力部と、を有し、  前記充電制御ステップは、前記検出された充電量が、前記第１の外部電源入力部に対応する第１の閾値を超えた場合に、前記第１の外部電源入力部からの供給電力の前記二次電池への供給を抑制し、前記検出された充電量が、前記第２の外部電源入力部に対応する第２の閾値を超えた場合に、前記第２の外部電源入力部からの供給電力の前記二次電池への供給を抑制する、ことを特徴とする、請求項１３に記載の充電方法。
【請求項１５】
前記外部電源入力部は、外部電源からの供給電力を供給する給電接続器との結合によって外部電源から供給電力を受けるための第１の外部電源入力部と、外部電源からの供給電力を供給する結合部を有する台に前記電子装置が載置された場合に、前記台の前記結合部との結合によって外部電源からの供給電力を受けるための第１の外部電源入力部と、を有し、  前記第２の外部電源入力部に対応する前記第２の閾値は、前記第１の外部電源入力部に対応する前記第１の閾値よりも低い値であること、を特徴とする、請求項１４に記載の充電方法。
【請求項１６】
前記外部電源入力部に供給電力を供給する外部電源と前記外部電源入力部との間の結合方式を特定する結合方式特定ステップを有し、  前記充電制御ステップは、前記結合方式特定ステップによって特定された結合方式に対応する閾値を、前記複数の結合方式と前記複数の結合方式に対応する前記二次電池の充電量のそれぞれの閾値とを含む制御情報を予め格納した情報記憶部から取得し、前記検出ステップにより検出した充電量と前記取得した閾値とを用いて前記充電制御の判定処理を実行する、ことを特徴とする、請求項１３または１４に記載の充電方法。
【請求項１７】
外部電源からの供給電力を受けて電荷を蓄積する蓄電部と、  外部電源から複数の結合方式によって供給電力を受け得る外部電源入力部と、  前記外部電源入力部から供給される供給電力を前記蓄電部に供給する充電部と、  前記蓄電部の充電量を検出する検出部と、  前記検出部によって検出された充電量が、外部電源と前記外部電源入力部の間の結合方式に対応する閾値を超えた場合に、前記外部電源入力部からの供給電力の前記蓄電部への供給を抑制するよう前記充電部を制御する充電制御部と、を有する電源装置。
【請求項１８】
前記外部電源入力部は、外部電源から第１の結合方式によって供給電力を受けるための第１の電源入力部と、外部電源から第２の結合方式によって供給電力を受けるための第２の電源入力部と、を有し、  前記充電制御部は、前記検出された充電量が、前記第１の外部電源入力部に対応する第１の閾値を超えた場合に、前記第１の外部電源入力部からの供給電力の前記蓄電部への供給を抑制するよう前記充電部を制御し、前記検出された充電量が、前記第２の外部電源入力部に対応する第２の閾値を超えた場合に、前記第２の外部電源入力部からの供給電力の前記蓄電部への供給を抑制するよう前記充電部を制御するものであること、を特徴とする、請求項１７に記載の電源装置。
【請求項１９】
前記外部電源入力部は、外部電源からの供給電力を供給する給電接続器との結合によって外部電源から供給電力を受けるための第１の外部電源入力部と、外部電源からの供給電力を供給する結合部を有する台に前記電源装置が載置された場合に、前記台の前記結合部との結合によって外部電源からの供給電力を受けるための第１の外部電源入力部と、を有し、  前記第２の外部電源入力部に対応する前記第２の閾値は、前記第１の外部電源入力部に対応する前記第１の閾値よりも低い値であること、を特徴とする、請求項１８に記載の電源装置。
【請求項２０】
さらに、前記複数の結合方式と、前記複数の結合方式に対応する前記蓄電部の充電量のそれぞれの閾値とを含む制御情報を格納する情報記憶部と、  前記外部電源入力部に供給電力を供給する外部電源と前記外部電源入力部との間の結合方式を特定する結合方式特定部と、を有し、  前記充電制御部は、前記結合方式特定部によって特定された結合方式に対応する閾値を、前記格納部によって格納された前記制御情報から取得するものであること、を特徴とする、請求項１７または１８に記載の電源装置。
【発明の詳細な説明】
【技術分野】
【０００１】  本発明は、二次電池用の充電回路に関し、特に、二次電池を電源として使用できる装置に用いられる二次電池を充電するための充電回路に関する。
【背景技術】
【０００２】  従来、二次電池（充電可能なバッテリ）を有する携帯電話機およびノートブック型パーソナル・コンピュータ（ＰＣ）等のモバイル電子機器において、電子機器が充電用のＡＣ−ＤＣ変換アダプタに接続されると、電子機器はバッテリが最大可能充電容量（満杯）まで充電されるまでその充電を継続しまた繰り返す。【０００３】  二次電池は長期間使用するに従って最大充電可能量が徐々に低下し、一般的に、実用的に充分な充電量が確保できなくなったときに寿命が尽きたと判断されると考えられる。【０００４】  携帯通信端末機の既知の充電部には、仕様の異なる複数種類の充電アダプタを接続することが可能な複数のアダプタ接続端子と、これら複数のアダプタ接続端子から二次電池４に至る複数の充電経路と、各アダプタ接続端子に接続された充電アダプタに関する情報を入手して、その仕様情報に基づいて１つの充電経路を選択すると共に、充電制御の方式を決定するＣＰＵとを具えているものがある。【０００５】  既知の携帯端末装置には、二次電池を電源として用いることが可能であり、複数の筐体及び当該筐体を開閉可能に連結する連結部を有する筐体部と、筐体部の開閉状態を検出する開閉状態検出部と、外部電源から二次電池に電源を供給する充電回路と、開閉状態検出部の検出結果に応じて充電回路を制御する充電制御回路とを備えるものがある。【０００６】  既知の携帯電子機器を充電する方法では、携帯電子機器が電力源に接続される時、携帯電子機器の現行操作状態に従ってバッテリを充電するために、方法が防護モードまたは快速充電モードを選択すると同時に、バッテリ電力も安全範囲に制御されるため、デバイス効率に影響を与えることなく携帯電子機器のバッテリを高速で充電できるとともに、バッテリがまた過充電から保護されて、バッテリの寿命を延長する。【特許文献１】特開２００４−３３６９５１号公報
【特許文献２】特開２００７−１２９３９２号公報
【特許文献３】特開２００８−４３１８６号公報
【発明の開示】
【発明が解決しようとする課題】
【０００７】  発明者たちは、ユーザが、電子機器の二次電池（充電可能なバッテリ）をＡＣ−ＤＣ変換充電器アダプタに常時接続して、二次電池をほぼ満杯状態（最大充電状態）で電子機器を使用し、満杯状態と満杯状態より僅かに少ない状態との間で放電および充電を頻繁に繰り返させると、二次電池の最大充電可能レベルが短期間で相対的に大きく減少し、二次電池の寿命が短くなる、と認識した。発明者たちは、二次電池を、最大でも満杯状態より所定割合だけ少ないレベルまで充電するようにすることによって、二次電池の最大充電可能レベルの減少の速さを緩和し、二次電池の寿命をより長くすることができる、と認識した。【０００８】  本発明の目的は、二次電池の寿命をより長くすることである。【０００９】  本発明の別の目的は、二次電池の最大充電可能レベルの低下を抑制または緩和することである。
【課題を解決するための手段】
【００１０】  本発明の特徴によれば、二次電池を電源として使用できる電子装置に用いられる、その二次電池を充電する充電回路は、外部電源から複数の結合方式によって供給電力を受け得る外部電源入力部と、その外部電源入力部から供給される供給電力をその二次電池に供給する充電部と、その二次電池の充電量を検出する検出部と、その検出部によって検出された充電量が、外部電源とその外部電源入力部の間の結合方式に対応する閾値を超えた場合に、その外部電源入力部からの供給電力のその二次電池への供給を抑制するようその充電部を制御する充電制御部と、を有する。【００１１】  本発明は、また、上述の充電回路の構成を含む電子装置、そのような電子装置を実現する方法に関する。
【発明の効果】
【００１２】  本発明によれば、二次電池の寿命をより長くすることができ、二次電池の最大充電可能レベルの低下を抑制または緩和することができる。
【発明を実施するための最良の形態】
【００１３】  本発明の実施形態を、図面を参照して説明する。図面において、同様のコンポーネントには同じ参照番号が付されている。【００１４】  図１は、本発明の実施形態による、充電に関連する電子機器１００の概略的構成と、電子機器１００における電源回路１２０と、充電用の交流−直流（ＡＣ／ＤＣ）変換アダプタ２０２との間の３種類の概略的結合形態を示している。【００１５】  電子機器１００は、例えば、携帯電話機、ウルトラモバイル・パーソナル・コンピュータ、またはＰＤＡ（Personal Digital Assistant）であってもよい。【００１６】  電子機器１００は、電源回路１２０、例えばリチウム・イオン二次電池パックのような二次電池ＢＡＴを含む着脱可能な二次電池装置１４０、結合検出部（結合方式検出部）１３２、ＡＲＩＢ（Association of Radio Industries and Businesses：社団法人電波産業会）規格のＡＲＩＢコネクタ１５２、およびクレードル端子部１５４を具えている。結合検出部（結合方式検出部）１３２は、交流−直流（ＡＣ／ＤＣ）変換アダプタ２０２のケーブル・コネクタ（２３２）および／または充電用クレードル２２０との結合の有無を検出（特定）する。ＡＲＩＢコネクタ１５２は、アダプタ２０２のケーブル・コネクタ（２３２）に接続される。クレードル端子部１５４は、充電用クレードル２２０の給電端子（２２２）に結合される。電子機器１００は、さらに例えばデスクトップ型パーソナル・コンピュータ（ＰＣ）等に接続されるＵＳＢコネクタ１５６を具えていてもよい。電子機器１００中の構成要素１２０、１３２、１５２、１５４および１５６は、充電回路を構成すると見ることができる。構成要素１３２、１５２、１５４および１５６は、外部電源に対する充電回路中の電源入力部を構成すると見ることができる。【００１７】  電子機器１００は、さらに、様々な機能のアプリケーションを実行するＣＰＵ１０２、アプリケーション等のプログラムおよびデータを格納するメモリ１０４、例えばキーボード、キーまたはボタンのような入力装置１０６、および例えば液晶表示装置（ＬＣＤ）のような表示装置１０８を具えている。【００１８】  充電用クレードル２２０は、給電端子（ＴＲＭ）２２２、接地端子２２３、例えば磁界または電圧によりクレードル２２０の存在を示す表示手段２２４、およびアダプタ２０２のケーブル・コネクタ（２３２）に接続されるＡＲＩＢコネクタ２５２を具えている。【００１９】  電子機器１００の結合検出部１３２は、例えば、導体および／またはセンサである。その導体は、アダプタ２０２またはクレードル２２０等からの高レベルまたは低レベル（Ｈ／Ｌ）の電圧を捕捉してその捕捉された電圧を充電制御部１２２へ結合する。そのセンサは、クレードル２２０の表示手段２２４の有無（Ｈ／Ｌ）を検出しその検出結果を示す信号を充電制御部１２２へ結合する。そのセンサは、例えば、表示手段２２４としての永久磁石の磁界の有無（Ｈ／Ｌ）を検出する磁気センサ（例えば、ＭＲセンサを含むホールＩＣ）であってもよい。【００２０】  充電のために電子機器１００にＡＣ／ＤＣ変換アダプタ２０２を接続する方法として、アダプタ２０２を電子機器１００のＡＲＩＢコネクタ１５２に直接接続する方法がある。電子機器��００にＡＣ／ＤＣ変換アダプタ２０２を接続する別の方法として、アダプタ２０２をクレードル２２０に接続し電子機器１００をクレードル２２０に載置することによって、アダプタ２０２をクレードル２２０を介して電子機器１００のクレードル端子部１５４に接続する方法がある。電子機器１００にＤＣ電圧を供給するさらに別の方法として、パーソナル・コンピュータに接続されたＵＳＢケーブルを電子機器１００のＵＳＢコネクタ１５６に接続する方法がある。【００２１】  図１において、電子機器１００の充電制御部１２２は、常時または反復的に電力残量検出部１２８によって検出または算出された二次電池装置１４０の電力残量を表す情報（Ａｈ）を受け取る。二次電池装置１４０のマイクロコンピュータ（μＣ）は、二次電池ＢＡＴによる供給電圧の値を検出し、レジスタＲＧ中の電圧−電力残量特性（曲線、表）に基づいてその検出電圧の値に応じて現在利用可能な電力残量を計算して電力残量検出部１２８に出力する。代替構成として、二次電池装置１４０のマイクロコンピュータ（μＣ）はその検出電圧の値を電力残量検出部１２８に出力し、電力残量検出部１２８が、その検出電圧の値に応じて電圧−電力残量特性（曲線、表）に基づいて現在利用可能な電力残量を計算してもよい。【００２２】  二次電池装置１４０の電力残量が最大可能充電量（満杯レベル）（例えば、８００ｍＡｈ）の所定の最小割合Ｐｍｉｎ未満（例えば、９０％）のときに、交流−直流変換アダプタ２０２が電子機器１００のＡＲＩＢコネクタ１５２に直接接続されると、電源回路１２０の充放電部１２４は、充電制御部１２２の制御の下で、アダプタ２０２からの直流電流または電力を二次電池装置１４０に供給する。充電部１２４は、充電制御部１２２の制御の下で、電力残量検出部１２８からの検出された電力残量が最大可能充電量の所定の最大割合Ｐｍａｘ（例えば、１００％）に達すると、充放電部１２４に二次電池装置１４０への給電を停止させる。【００２３】  結合検出部１３２は、電子機器１００がクレードル２２０に載置されたときその両者の結合を電気的にまたは磁気的に検出する。充電制御部１２２は、その結合の有無を表す検出信号（Ｈ／Ｌ）を受け取る。二次電池装置１４０の電力残量が最大可能充電量の所定の最小割合Ｐｍｉｎ（例えば、７０％）未満のときに、交流−直流変換アダプタ２０２がクレードル２２０に接続されかつ電子機器１００がクレードル２２２に載置され、それによってクレードル２２０の給電端子２２４が電子機器１００のクレードル端子部１５４に接触接続されると、電源回路１２０の充放電部１２４は、充電制御部１２２の制御の下で、クレードル２２０を介したＡＣ／ＤＣ変換アダプタ２０２からの直流電流または電力を二次電池装置１４０に供給する。充電制御部１２２は、電力残量検出部１２８からの検出された電力残量が最大可能充電量の最大割合Ｐｍａｘ（例えば、８０％）に達したと判定すると、充放電部１２４を、二次電池装置１４０への給電を停止するよう制御する。それによって、二次電池装置１４０が満杯状態（１００％）まで充電されるのを抑制することができ、二次電池装置１４０の寿命をより長くすることができる。【００２４】  図２は��集積回路（ＩＣ）として実装される電源回路１２０の概略的構成を示している。【００２５】  電源回路１２０は、充電制御部１２２、充放電部１２４、直流電圧（ＤＣ）変換部１２６、電力残量検出部１２８、および検出部１３０を含んでいる。直流電圧（ＤＣ）変換部１２６は、受け取った電圧を変換してＣＰＵ１０２等の構成要素の負荷へ所定電圧の電力を供給する。検出部１３０は、ＡＣ−ＤＣ変換アダプタ、クレードルおよびＵＳＢケーブルのような外部直流電源に関する電圧および信号を検出する。【００２６】  充電制御部１２２の閾値記憶領域１２３は、充放電部１２４の動作を制御するための適用可能な電力残量の所定の最大割合Ｐｍａｘおよび所定の最小割合を表す閾値Ｐｍａｘ、Ｐｍｉｎ（例えば、８０％、７０％）を保持する。閾値Ｐｍａｘ、Ｐｍｉｎは、ユーザによって入力装置１０６を用いて電子機器１００のプロセッサ１０２上で動作するアプリケーション（充電量設定機能）によって設定し、メモリ１０４または充電制御部１２２の閾値記憶領域１２３に格納することができる。【００２７】  検出部１３０は、電子装置１００と、外部直流電源としてのアダプタ２０２、クレードル２２０および／またはＵＳＢケーブルとの間の結合の有無（Ｈ／Ｌ）を検出して、その検出信号を充電制御部１２２に供給する。また、検出部１３０は、そのような外部直流電源からの充電電圧の有無（Ｈ／Ｌ）を検出して充電制御部１２２に供給する。【００２８】  直流電圧（ＤＣ）変換部１２６は、例えば直流−直流電圧変換器（ＤＤＣ）およびＬＤＯレギュレータを含む。直流電圧変換部１２６は、充放電部１２４からの直流電圧（例えば、４．２Ｖ）を所要の低い直流電圧（例えば、３．３Ｖ、１．２Ｖ）に変換して、電子機器１００の各構成要素（例えば、ＣＰＵ１０２、メモリ１０４、表示装置１０８、等）の負荷に電力を供給する。【００２９】  充放電部１２４は、充電制御部１２２の命令に従って、外部直流電源からの電流を受け取って二次電池装置１４０を充電し、二次電池装置１４０からの放電電流を直流電圧変換部１２６に供給する。【００３０】  二次電池装置１４０は、二次電池ＢＡＴ、電圧電流（Ｖ＆Ｉ）検出部１４５、マイクロコンピュータμＣ、レジスタＲＧを含んでいる。充放電部１２４が、電圧電流（Ｖ＆Ｉ）検出部を含んでいてもよい。【００３１】  二次電池装置１４０の電圧電流検出部１４５は、二次電池ＢＡＴによる給電および受電における電圧および電流の値および電流方向等を検出する。二次電池装置１４０のマイクロコンピュータμＣまたは電源回路１２０の充放電部１２４は、電圧電流検出部１４５からの検出値に基づいて、二次電池ＢＡＴの充電状態および／または放電状態を判定し、それらの判定情報を充電制御部１２２に供給する。【００３２】  図３は、本発明の実施形態による、電子機器１００における電源回路１２０と、充電用の交流−直流変換アダプタ２０２との間の異なる可能な２種類の結合形態（結合方式）を示している。【００３３】  交流−直流変換アダプタ２０２の直流ケーブル・コネクタ（ＤＣ＿ＣＢＬ）２３２は、端子（ピン）＃１〜＃１０の中の接地端子＃１（ＧＮＤ）、給電端子＃５（５．４Ｖ）、給電端子＃５に結合された���備端子＃６（ＲＳＶ）、および接地端子＃１０を有する。ここで、予備端子＃６（ＲＳＶ）は、ケーブル・コネクタ２３２の存在を示す表示手段として用いられる。【００３４】  電子機器１００のＡＲＩＢコネクタ１５２は、ケーブル・コネクタ２３２の接地端子＃１に結合される接地端子１６１、給電端子＃５（５．４Ｖ）に結合される給電端子１６５、予備端子＃６（ＲＳＶ）に結合されるケーブル・コネクタ検出端子１６６、および接地端子＃１０に結合される接地端子１７０を有する。接地端子１６１および１７０は電子機器１００内で互いに接続されて電源回路１２０の接地入力端子に接続される。給電端子１６５は、電源回路１２０（充放電部１２４）の給電入力端子に接続されている。ケーブル・コネクタ検出端子１６６は、電源回路１２０の検出部１３０に接続されている。【００３５】  クレードル２２０は、接地端子＃１に結合される接地端子２６１、給電端子＃５（５．４Ｖ）に結合される給電端子２６５、および接地端子＃１０に結合される端子２７０を有し、さらに、端子２６５に結合された給電用の接触端子２２２、および端子２６１および２７０に結合された接地用の接触端子２２３を有する。【００３６】  電子機器１００のクレードル端子部１５４は、クレードル２２０の接触端子２２２に接触接続される接触端子１７５、および接触端子２２３に接触接続される接触端子１８０を有する。接触端子１７５は電源回路１２０（充放電部１２４）の給電入力端子ＰＳ（５．４Ｖ）に接続されている。接触端子１８０は電源回路１２０の接地入力端子に接続されている。【００３７】  二次電池装置１４０の電力残量が満杯でなく最大可能充電量（例えば、８００ｍＡｈ）の第１の最小割合Ｐｍｉｎ１（例えば、９０％、８５％、８０％）未満のときに、交流−直流変換アダプタ２０２のケーブル・コネクタ２３２が電子機器１００のＡＲＩＢコネクタ１５２に直接接続されたとする。すると、電源回路１２０の検出部１３０は、ケーブル・コネクタ検出端子１６６を介してケーブル・コネクタ２３２の予備端子＃６の高い電圧レベルＨ（５．４Ｖ）を検出して、ケーブル・コネクタ２３２の結合の検出を示す信号（Ｈ）を充電制御部１２２に供給する。検出部１３０または充放電部１２４は、さらに、給電端子１６５からの給電入力端子ＰＳ上の供給電圧（例えば、５．４Ｖ）を検出して、充電電圧の存在を示す信号（Ｈ／Ｌ）を充電制御部１２２に供給してもよい。【００３８】  電源回路１２０の充電制御部１２２は、ケーブル・コネクタ２３２の結合の検出、および／または充電電圧の存在の検出に従って、交流−直流変換アダプタ２０２が直接電子機器１００のＡＲＩＢコネクタ１５２に接続されたと判定する。【００３９】  その判定に従って、充電制御部１２２は、充放電部１２４に、二次電池装置１４０を最大可能充電量の第１の最大割合Ｐｍａｘ１（例えば、最大充電量１００％、９５％、９０％）まで充電させる。その後、充電制御部１２２は、電子機器１００とケーブル・コネクタ２３２との結合の有無に関係なく、二次電池装置１４０の電力残量が最大可能充電量の第１の最小割合Ｐｍｉｎ１に低下するまでは充電を停止させ充電を開始させない。それによって、二次電池装���１４０が頻繁に満杯状態（１００％）まで充電されるのを抑制または緩和することができ、二次電池装置１４０の寿命をより長くすることができる。代替構成として、第１の最小割合Ｐｍｉｎ１を設定せず、通常の通り、二次電池装置１４０の電力残量が満杯状態から僅かでも低下したら充電可能な限り二次電池装置１４０を充電するようにしてもよい。【００４０】  一方、二次電池装置１４０の電力残量が満杯でなく最大可能充電量の第２の最小割合Ｐｍｉｎ２（例えば、８０％）未満のときに、交流−直流変換アダプタ２０２がクレードル２２０に接続されかつ電子機器１００がクレードル２２２に載置され、それによってクレードル２２０の接触端子２２２、２２３が電子機器１００のクレードル端子部１５４の接触端子１７５、１８０に接触接続されたとする。すると、電源回路１２０の検出部１３０は、給電用の接触端子１７５からの給電入力端子ＰＳ上の供給電圧（例えば、５．４Ｖ）を検出して、充電電圧の存在を示す信号（Ｈ）を充電制御部１２２に供給する。電源回路１２０の検出部１３０は、さらに、ケーブル・コネクタ検出端子１６６における低い電圧レベルＬ（０Ｖ）を検出し、ケーブル・コネクタ２３２の結合の不検出を示す信号（Ｌ）を充電制御部１２２に供給する。【００４１】  電源回路１２０の充電制御部１２２は、充電電圧の存在の検出と、ケーブル・コネクタ２３２の結合の不検出とに従って、活動状態（給電可能状態）にあるクレードル２２０が直接電子機器１００のクレードル端子部１５４に接触接続されたと判定する。【００４２】  その判定に従って、充電制御部１２２は、充放電部１２４に、二次電池装置１４０を最大可能充電量の第２の最大割合Ｐｍａｘ２（例えば、８０％）まで充電させる。その後、充電制御部１２２は、電子機器１００とクレードル２２０との結合の有無に関係なく、二次電池装置１４０の電力残量が最大可能充電量の第２の最小割合Ｐｍｉｎ２に低下するまで充電を停止させ充電を開始させない。それによって、二次電池装置１４０が満杯状態まで充電されるのを抑制することができ、二次電池装置１４０の寿命をより長くすることができる。【００４３】  図４は、図３の実施形態の変形である、本発明の別の実施形態による、電子機器１００における電源回路１２０と、充電用の交流−直流変換アダプタ２０２と、ＵＳＢケーブル２３６との間の異なる可能な３種類の結合形態を示している。【００４４】  交流−直流変換アダプタ２０２のケーブル・コネクタ（ＤＣ＿ＣＢＬ）２３２は、図３の場合と同様に、端子＃１〜＃１０の中の接地端子＃１（ＧＮＤ）、給電端子＃５（５．４Ｖ）、および接地端子＃１０を有する。この場合、アダプタ２０２の予備端子＃６（ＲＳＶ）は使用されない。【００４５】  この場合、電子機器１００のＡＲＩＢコネクタ１５２は、図３の場合と同様に、接地端子１６１、給電端子１６５および接地端子１７０を有する。給電端子１６５は、電源回路１２０の給電入力端子ＰＳ＃１および検出部１３０に接続されている。図３のケーブル・コネクタ検出端子１６６は使用されない。【００４６】  クレードル２２０は、図３の場合と同様の、端子２６１、２６５、２７０、および接触端子２２２、２２３に加えて��クレードル２２０の存在を示す永久磁石２２５を有する。【００４７】  電子機器１００のクレードル端子部１５４は、接触端子１７５および接触端子１８０に加えて、クレードル２２０の永久磁石２２５の有無を検出し検出信号（Ｈ／Ｌ）を出力する磁気センサ１５５を有する。磁気センサ１５５の検出端子は、電源回路１２０の検出部１３０（＃２）に接続されている。給電用の接触端子１７５は電源回路１２０の充放電部１２４の給電入力端子ＰＳ＃２に接続されている。【００４８】  一端が例えばデスクトップ型のパーソナル・コンピュータ等に接続されたＵＳＢケーブルＵＳＢ＿ＣＢＬが充電に用いられる。そのＵＳＢケーブルＵＳＢ＿ＣＢＬのＵＳＢコネクタ（ＵＳＢ＿ＣＮＴ）２３６は、他端にＵＳＢバスの給電端子＃１（５．０Ｖ）および接地端子＃４（ＧＮＤ）を有する。【００４９】  電子機器１００は、さらに、少なくとも充電に使用可能なＵＳＢコネクタ（ＵＳＢ＿ＣＮＴ）１５６を有する。ＵＳＢコネクタ１５６は、給電端子１８２および接地端子１８４を有する。その給電端子１８２は、ＵＳＢコネクタ（ＵＳＢ＿ＣＮＴ）２３６のＵＳＢバスの給電端子＃１に接続され、かつ電源回路１２０の充放電部１２４の給電入力端子ＰＳ＃３および検出部１３０（＃３）に接続される。その接地端子１８４は、ＵＳＢコネクタ２３６の接地端子＃４に接続され、かつ電源回路１２０の接地端子ＧＮＤに接続される。【００５０】  電源回路１２０の検出部１３０（＃１）は、ＡＲＩＢコネクタ１５２の給電端子１６５に接続されていて、ＡＲＩＢコネクタ１５２とケーブル・コネクタ２３２の結合の有無（Ｈ／Ｌ）を検出する。また、検出部１３０（＃２）は、磁気センサ１５５に接続されていて、クレードル端子部１５４とクレードル２２０の結合の有無（Ｈ／Ｌ）を検出する。さらに、検出部１３０（＃３）は、ＵＳＢコネクタ１５６の給電端子１８２に接続されていて、ＵＳＢコネクタ１５６とＵＳＢコネクタ２３６との結合の有無（Ｈ／Ｌ）を検出する。【００５１】  二次電池装置１４０の電力残量が満杯でなく最大可能充電量の第１の最小割合Ｐｍｉｎ１（例えば、９０％、８５％、８０％）未満のときに、交流−直流変換アダプタ２０２のケーブル・コネクタ２３２が電子機器１００のＡＲＩＢコネクタ１５２に直接接続されたとする。すると、電源回路１２０の検出部１３０は、給電端子１６５を介してケーブル・コネクタ２３２の給電端子＃５の高い電圧レベルＨ（５．４Ｖ）を検出して、ケーブル・コネクタ２３２の結合の検出を示す信号（Ｈ）を充電制御部１２２に供給する。検出部１３０または充放電部１２４は、さらに、給電端子１６５からの給電入力端子ＰＳ＃１上の供給電圧（例えば、５．４Ｖ）を検出して、充電電圧の存在を示す信号（Ｈ／Ｌ）を充電制御部１２２に供給してもよい。【００５２】  電源回路１２０の充電制御部１２２は、ケーブル・コネクタ２３２の結合の検出、および／または充電電圧の存在の検出に従って、交流−直流変換アダプタ２０２が直接電子機器１００のＡＲＩＢコネクタ１５２に接続されたと判定する。【００５３】  その判定に従って、充電制御部１２２は、充放電部１２４に二次電池装置１４０を最大可能充電量の第１の最大割合Ｐｍａｘ１まで充電させる。その後、充電制御部１２２は、電子機器１００とケーブル・コネクタ２３２との結合の有無に関係なく、二次電池装置１４０の電力残量が最大可能充電量の第１の最小割合Ｐｍｉｎ１に低下するまで充電を停止させ充電を開始させない。それによって、二次電池装置１４０が頻繁に満杯状態まで充電されるのを抑制することができ、二次電池装置１４０の寿命をより長くすることができる。代替構成として、第１の最小割合Ｐｍｉｎ１を設定せず、通常の通り、二次電池装置１４０の電力残量が満杯状態から僅かでも低下したら充電可能な限り二次電池装置１４０を充電するようにしてもよい。【００５４】  一方、二次電池装置１４０の電力残量が満杯でなく最大可能充電量の第２の最小割合Ｐｍｉｎ２（例えば、８０％）未満のときに、交流−直流変換アダプタ２０２がクレードル２２０に接続されかつ電子機器１００がクレードル２２２に載置され、それによってクレードル２２０の接触端子２２２、２２３が電子機器１００のクレードル端子部１５４の接触端子１７５、１８０に接触接続されたとする。すると、電源回路１２０の検出部１３０は、磁気センサ１５５によるクレードル２２０の結合を示す永久磁石２２５の検出信号（Ｈ）を検出し、クレードル２２０の結合を示す検出信号（Ｈ）を充電制御部１２２に供給する。検出部１３０または充放電部１２４は、さらに、給電端子１７５からの給電入力端子ＰＳ＃２上の供給電圧（例えば、５．４Ｖ）を検出して、充電電圧の存在を示す信号（Ｈ）を充電制御部１２２に供給してもよい。【００５５】  電源回路１２０の充電制御部１２２は、クレードル２２０の結合の検出、および／または充電電圧の存在の検出に従って、クレードル２２０が電子機器１００のクレードル端子部１５４に接触接続されたと判定する。【００５６】  その判定に従って、充電制御部１２２は、充放電部１２４に、二次電池装置１４０を最大可能充電量の第２の最大割合Ｐｍａｘ２（例えば、８０％）まで充電させる。その後、充電制御部１２２は、電子機器１００とクレードル２２０との結合の有無に関係なく、二次電池装置１４０の電力残量が最大可能充電量の第２の最小割合Ｐｍｉｎ２に低下するまでは充電を停止させ充電を開始させない。それによって、二次電池装置１４０が満杯状態まで充電されるのを抑制することができ、二次電池装置１４０の寿命をより長くすることができる。【００５７】  さらに、二次電池装置１４０の電力残量が満杯でなく最大可能充電量の第３の最小割合Ｐｍｉｎ３（例えば、８５％、８０％、７５％）未満のときに、パーソナル・コンピュータＰＣ等のＵＳＢ端子に接続されたＵＳＢコネクタ２３６が電子機器１００のＵＳＢコネクタ１５６に直接接続されたとする。すると、電源回路１２０の検出部１３０は、給電端子１８２を介してＵＳＢコネクタ２３６の給電端子＃１の高い電圧レベルＨ（５．０Ｖ）を検出して、ＵＳＢコネクタ２３６の結合の検出を示す信号（Ｈ）を充電制御部１２２に供給する。検出部１３０または充放電部１２４は、さらに、さらに、給電端子１８２からの給電入力端子ＰＳ＃３上の供給電圧（例えば、５．０Ｖ）を検出して、充電電圧の存在を示す信号（Ｈ／Ｌ）を充電制御部１２２に供給���てもよい。【００５８】  電源回路１２０の充電制御部１２２は、ＵＳＢコネクタ２３６の結合の検出、および／または充電電圧の存在の検出に従って、ＵＳＢコネクタ２３６が電子機器１００のＵＳＢコネクタ１５６に接続されたと判定する。【００５９】  その判定に従って、充電制御部１２２は、充放電部１２４に二次電池装置１４０を最大可能充電量の第３の最大割合Ｐｍａｘ３まで充電させる。その後、充電制御部１２２は、電子機器１００とＵＳＢコネクタ２３６との結合の有無に関係なく、二次電池装置１４０の電力残量が最大可能充電量の第３の最小割合Ｐｍｉｎ３に低下するまで充電を停止させ充電を開始させない。それによって、二次電池装置１４０が満杯状態まで充電されるのを抑制することができ、二次電池装置１４０の寿命をより長くすることができる。【００６０】  図５は、図３の実施形態の別の変形である、本発明のさらに別の実施形態による、電子機器１００における電源回路１２０と、充電用の交流−直流変換アダプタ２０２との間の異なる可能な２種類の結合形態を示している。【００６１】  交流−直流変換アダプタ２０２のケーブル・コネクタ（ＤＣ＿ＣＢＬ）２３２は、図３の場合と同様に、端子＃１〜＃１０の中の接地端子＃１（ＧＮＤ）、給電端子＃５（５．４Ｖ）、および接地端子＃１０を有する。この場合、アダプタ２０２の予備端子＃６（ＲＳＶ）は使用されない。【００６２】  この場合、電子機器１００のＡＲＩＢコネクタ１５２は、図３、４の場合と同様に、接地端子１６１、給電端子１６５および接地端子１７０を有する。給電端子１６５は、電源回路１２０の給電入力端子ＰＳに接続され、検出部１３０には接続されない。図３のケーブル・コネクタ検出端子１６６は使用されない。【００６３】  クレードル２２０は、図４の場合と同様に、端子２６１、２６５、２７０、および接触端子２２２、２２３、および永久磁石２２５を有する。【００６４】  電子機器１００のクレードル端子部１５４は、図４の場合と同様に、接触端子１７５、１８０、および磁気センサ１５５を有する。磁気センサ１５５の検出端子は、電源回路１２０の検出部１３０に接続されている。給電用の接触端子１７５は電源回路１２０の充放電部１２４の接地入力端子ＰＳに接続される。【００６５】  二次電池装置１４０の電力残量が満杯でなく最大可能充電量の第１の最小割合Ｐｍｉｎ１（例えば、９０％、８５％、８０％）未満のときに、交流−直流変換アダプタ２０２のケーブル・コネクタ２３２が電子機器１００のＡＲＩＢコネクタ１５２に直接接続されたとする。すると、電源回路１２０の検出部１３０は、磁気センサ１５５による永久磁石２２５の検出信号（Ｈ）を検出せず、クレードル２２０の結合の不存在を示す検出信号（Ｌ）を充電制御部１２２に供給する。検出部１３０または充放電部１２４は、さらに、給電端子１６５からの給電端子ＰＳ上の供給電圧（例えば、５．４Ｖ）を検出して、充電電圧の存在を示す信号（Ｈ）を充電制御部１２２に供給する。【００６６】  電源回路１２０の充電制御部１２２は、クレードル２２０の結合の不検出、および充電電圧の存在の検出に従って、交流−直流変換アダプタ２０２が直接的に電子機器１００のＡＲＩＢコネク���１５２に接続されたと判定する。【００６７】  その判定に従って、充電制御部１２２は、充放電部１２４に、二次電池装置１４０を最大可能充電量の第１の最大割合Ｐｍａｘ１まで充電させる。その後、充電制御部１２２は、電子機器１００とケーブル・コネクタ２３２との結合の有無に関係なく、二次電池装置１４０の電力残量が最大可能充電量の第１の最小割合Ｐｍｉｎ１に低下するまで充電を停止させ充電を開始させない。それによって、二次電池装置１４０が頻繁に満杯状態まで充電されるのを抑制することができ、二次電池装置１４０の寿命をより長くすることができる。代替構成として、第１の最小割合Ｐｍｉｎ１を設定せず、通常の通り、二次電池装置１４０の電力残量が満杯状態から僅かでも低下したら二次電池装置１４０を充電するようにしてもよい。【００６８】  一方、二次電池装置１４０の電力残量が満杯でなく最大可能充電量の第２の最小割合Ｐｍｉｎ２（例えば、８０％）未満のときに、交流−直流変換アダプタ２０２がクレードル２２０に接続されかつ電子機器１００がクレードル２２２に載置され、それによってクレードル２２０の接触端子２２２、２２３が電子機器１００のクレードル端子部１５４の接触端子１７５、１８０に接触接続されたとする。すると、電源回路１２０は、図４の場合と同様に動作する。それによって、二次電池装置１４０が満杯状態まで充電されるのを抑制することができ、二次電池装置１４０の寿命を長くすることができる。【００６９】  図６は、図３または図５の実施形態のさらに別の変形である、本発明のさらに別の実施形態による、電子機器１００における電源回路１２０と、充電用の交流−直流変換アダプタ２０２との間の異なる可能な２種類の結合形態を示している。【００７０】  交流−直流変換アダプタ２０２のケーブル・コネクタ（ＤＣ＿ＣＢＬ）２３２は、図５の場合と同様の構成を有する。【００７１】  クレードル２２０は、図３の場合と同様の、端子２６１、２６５、２７０、および接触端子２２２、２２３に加えて、（図５の永久磁石２２５の代わりに）クレードル２２０の存在を表しケーブル・コネクタ２３２の給電端子＃５に結合される端子２５２に接続された端子接触端子２２６を有する。【００７２】  電子機器１００のクレードル端子部１５４は、接触端子１７５および接触端子１８０に加えて、活動状態（給電可能状態）にあるクレードル２２０の接触端子２２６上の電圧の有無を検出するための接触端子１５６を有する。接触端子１５６は、電源回路１２０の検出部１３０に接続されている。給電用の接触端子１７５は電源回路１２０の充放電部１２４の給電入力端子ＰＳに接続されている。【００７３】  二次電池装置１４０の電力残量が満杯でなく最大可能充電量の第１の最小割合Ｐｍｉｎ１（例えば、９０％、８５％、８０％）未満のときに、交流−直流変換アダプタ２０２のケーブル・コネクタ２３２が電子機器１００のＡＲＩＢコネクタ１５２に直接接続されたとする。すると、電源回路１２０の検出部１３０は、接触端子１５６からの高い電圧レベルＨ（５．４Ｖ）を検出せず、クレードル２２０の結合の不存在を示す検出信号（Ｌ）を充電制御部１２２に供給する。検出部１３０または充放電部１２４は、��らに、給電端子１６５からの給電端子ＰＳ上の供給電圧（例えば、５．４Ｖ）を検出して、充電電圧の存在を示す信号（Ｈ）を充電制御部１２２に供給する。【００７４】  電源回路１２０の充電制御部１２２は、クレードル２２０の結合の不検出、および充電電圧の存在の検出に従って、交流−直流変換アダプタ２０２が直接的に電子機器１００のＡＲＩＢコネクタ１５２に接続されたと判定する。【００７５】  その判定に従って、充電制御部１２２は、充放電部１２４に、二次電池装置１４０を最大可能充電量の第１の最大割合Ｐｍａｘ１まで充電させる。その後、充電制御部１２２は、電子機器１００とケーブル・コネクタ２３２との結合の有無に関係なく、二次電池装置１４０の電力残量が最大可能充電量の第１の最小割合Ｐｍｉｎ１に低下するまで充電を停止させ充電を開始させない。それによって、二次電池装置１４０が頻繁に満杯状態まで充電されるのを抑制することができ、二次電池装置１４０の寿命をより長くすることができる。代替構成として、第１の最小割合Ｐｍｉｎ１を設定せず、通常の通り、二次電池装置１４０の電力残量が満杯状態から僅かでも低下したら二次電池装置１４０を充電するようにしてもよい。【００７６】  一方、二次電池装置１４０の電力残量が満杯でなく最大可能充電量の第２の最小割合Ｐｍｉｎ２（例えば、８０％）未満のときに、交流−直流変換アダプタ２０２がクレードル２２０に接続されかつ電子機器１００がクレードル２２２に載置され、それによってクレードル２２０の接触端子２２２、２２３が電子機器１００のクレードル端子部１５４の接触端子１７５、１８０に接触接続されたとする。すると、電源回路１２０の検出部１３０は、クレードル２２０の結合の存在を示す接触端子１５６からの高い電圧レベルＨ（５．４Ｖ）の検出信号を検出し、クレードル２２０の結合を示す検出信号（Ｈ）を充電制御部１２２に供給する。検出部１３０または充放電部１２４は、さらに、給電端子１７５からの給電入力端子ＰＳ上の供給電圧（例えば、５．４Ｖ）を検出して、充電電圧の存在を示す信号（Ｈ）を充電制御部１２２に供給してもよい。【００７７】  電源回路１２０の充電制御部１２２は、クレードル２２０の結合の検出、および／または充電電圧の存在の検出に従って、クレードル２２０が電子機器１００のクレードル端子部１５４に接触接続されたと判定する。【００７８】  その判定に従って、充電制御部１２２は、充放電部１２４に、二次電池装置１４０を最大可能充電量の第２の最大割合Ｐｍａｘ２（例えば、８０％）まで充電させる。その後、充電制御部１２２は、電子機器１００とクレードル２２０との結合の有無に関係なく、二次電池装置１４０の電力残量が最大可能充電量の第２の最小割合Ｐｍｉｎ２に低下するまで充電を停止させ充電を開始させない。それによって、二次電池装置１４０が満杯状態まで充電されるのを抑制することができ、二次電池装置１４０の寿命をより長くすることができる。【００７９】  図７Ａ〜７Ｄは、電子機器１００の表示装置１０８における充電量設定の表示画面の例を示している。【００８０】  図１の電子機器１００におけるアプリケーション１１０の中の充電量設定機能を起動することによって、ユーザは、各充電形態における最小充電量Ｐｍｉｎおよび最大充電量Ｐｍａｘを設定することができる。【００８１】  図７Ａの充電量設定の表示画面において、クレードル２２０を用いて充電する場合における電子装置１００の充電開始レベルＰｍｉｎ（％）および充電終了レベルＰｍａｘを設定することができる。また、その表示画面において、ＡＣ−ＤＣ変換アダプタ２０２の直接接続によって充電する場合における電子装置１００の充電開始レベルＰｍｉｎ（％）および充電終了レベルＰｍａｘを設定することができる。【００８２】  図７Ｂの充電量設定の表示画面は、図７Ａの画面において、設定された充電レベルに対する二次電池装置の劣化防止効果を有するかどうかを追加表示した例である。例えば充電終了レベルが９６％以上の場合、この場合は１００％の場合に、「二次電池の劣化防止設定なし」を表示すればよい。例えば、充電終了レベルが９５％以下、典型的には９０％以下の場合に「二次電池の劣化防止設定」を表示すればよい。【００８３】  図７Ｃの充電量設定の表示画面において、図７Ａの設定に加えて、ＵＳＢコネクタ２３６の接続によって充電する場合における電子装置１００の充電開始レベルＰｍｉｎ（％）および充電終了レベルＰｍａｘを設定することができる。【００８４】  図７Ｄの充電量設定の表示画面において、図７Ａの設定に加えて、現在の電力残量を棒グラフ表示することができる。【００８５】  図８Ａおよび８Ｂは、電源回路１２０の充電制御部１２２によって実行される、充電制御のためのフローチャートを示している。【００８６】  図８Ａを参照すると、ステップ４０２において、電源回路１２０の充電制御部１２２は、充放電部１２４（電圧電流検出部１２５）から充電電圧を検出したかどうかを判定する。充電電圧を検出しないと判定された場合は、充電電圧が検出されるまでステップ４０２が繰り返される。充電電圧を検出したと判定された場合は、手順はステップ４０４に進む。【００８７】  ステップ４０４において、充電制御部１２２は、電子機器１００に結合されたと判定された結合要素が、ケーブル・コネクタ２３２、クレードル２２０、および図４の構成の場合にはさらにＵＳＢコネクタ２３６、のいずれであるかを判定する。ステップ４０４において電子機器１００にケーブル・コネクタ２３２が結合されたと判定された場合は、手順はステップ４１２に進む。ステップ４０４において電子機器１００にクレードル２２０が結合されたと判定された場合は、手順はステップ４１２に進む。ステップ４０４において電子機器１００にＵＳＢコネクタ２３６が結合されたと判定された場合は、手順はステップ４１２に進む。【００８８】  ステップ４１２において、充電制御部１２２は、メモリ１０４または閾値記憶領域１２３に格納された閾値Ｐｍａｘ１〜Ｐｍａｘ３およびＰｍｉｎ１〜Ｐｍｉｎ３の中から、ケーブル・コネクタ２３２による充電に対応する充電終了時の電力残量（最大割合）Ｐｍａｘ１（例えば、１００％）と、充電開始時の電力残量（最小割合）Ｐｍｉｎ１（例えば、９０％）を、適用すべき閾値として設定する。【００８９】  ステップ４１４において、充電制御部１２２は、電力残量検出部１２８に二次電池装置１３０の現在の電力残量の値Ｐ（Ａｈ）または割合Ｐ（％）を検出させる。ステップ４１６において、充電制御部１２２は、現在の電力残量Ｐが充電開始時の電力残量（最小割合）Ｐｍｉｎ１以下かどうかを判定する。現在の電力残量Ｐが充電開始時の電力残量Ｐｍｉｎ１以下と判定されるまで、ステップ４１６が繰り返される。【００９０】  ステップ４１６において現在の電力残量Ｐが充電開始時の電力残量（最小割合）Ｐｍｉｎ１以下であると判定された場合は、ステップ４１８において、充電制御部１２２は、充放電部１２４に二次電池装置１３０の充電を開始させる。【００９１】  ステップ４２０において、充電制御部１２２は、電力残量検出部１２８に二次電池装置１３０の現在の電力残量の値Ｐ（Ａｈ）または割合Ｐ（％）を検出させる。ステップ４２２において、充電制御部１２２は、現在の電力残量Ｐが充電終了時の電力残量（最大割合）Ｐｍａｘ１以上かどうかを判定する。現在の電力残量Ｐが充電終了時の電力残量（最大割合）Ｐｍａｘ１以上であると判定された場合は、手順は図８Ａのルーチンを出て、充電は終了する。【００９２】  ステップ４２２において現在の電力残量Ｐが充電終了時の電力残量（最大割合）Ｐｍａｘ１以上でないと判定された場合は、充電制御部１２２は、ステップ４２４において充放電部１２４に二次電池装置１３０の充電を続けさせる。ステップ４２６において、充電制御部１２２は、充放電部１２４（電圧電流検出部１２５）から充電電圧を検出したかどうかを判定する。充電電圧を検出しないと判定された場合は、手順は図８Ａのルーチンを出て、充電は終了する。【００９３】  ステップ４２６において充電電圧が検出された場合には、手順はステップ４２０に戻って、ステップ４２２またはステップ４２６において手順が図８Ａのルーチンを出るまで、ステップ４２０〜４２６が繰り返される。【００９４】  ステップ４３２において、充電制御部１２２は、閾値Ｐｍａｘ１〜Ｐｍａｘ３およびＰｍｉｎ１〜Ｐｍｉｎ３の中から、クレードル２２０による充電に対応する充電終了時の電力残量（最大割合）Ｐｍａｘ２（例えば、８０％）と、充電開始時の電力残量（最小割合）Ｐｍｉｎ２（例えば、７０％）を適用すべき閾値として設定する。【００９５】  ステップ４３４はステップ４１４と同様である。ステップ４３６において、充電制御部１２２は、現在の電力残量Ｐが充電開始時の電力残量（最小割合）Ｐｍｉｎ２以下かどうかを判定する。現在の電力残量Ｐが充電開始時の電力残量Ｐｍｉｎ２以下と判定されるまで、ステップ４３６が繰り返される。【００９６】  ステップ４３６において現在の電力残量Ｐが充電開始時の電力残量（最小割合）Ｐｍｉｎ２以下であると判定された場合は、ステップ４３８において、充電制御部１２２は、充放電部１２４に二次電池装置１３０の充電を開始させる。【００９７】  ステップ４４０はステップ４２０と同様である。ステップ４４２において、充電制御部１２２は、現在の電力残量Ｐが充電終了時の電力残量（最大割合）Ｐｍａｘ２以上かどうかを判定する。現在の電力残量Ｐが充電終了時の電力残量（最大割合）Ｐｍａｘ２以上であると判定された場合は、手順は図８Ａのルーチンを出て、充電は終了する。【００９８】  ステップ４４２において現在の電力残量Ｐが充電終了時の電力残量（最大割合）Ｐｍａｘ２以上でないと判定された場合は、充電制御部１２２は、ステップ４４４において充放電部１２４に二次電池装置１３０の充電を続けさせる。ステップ４４６はステップ４２６と同様である。【００９９】  ステップ４４６において充電電圧が検出された場合には、手順はステップ４４０に戻って、ステップ４４２またはステップ４４６において手順が図８Ａのルーチンを出るまで、ステップ４４０〜４４６が繰り返される。【０１００】  図８Ｂを参照すると、ステップ４５２において、充電制御部１２２は、閾値Ｐｍａｘ１〜Ｐｍａｘ３およびＰｍｉｎ１〜Ｐｍｉｎ３の中から、ＵＳＢコネクタ２３６による充電に対応する充電終了時の電力残量（最大割合）Ｐｍａｘ３（例えば、９０％）と、充電開始時の電力残量（最小割合）Ｐｍｉｎ３（例えば、８０％）を適用すべき閾値として設定する。【０１０１】  ステップ４５４はステップ４１４と同様である。ステップ４５６において、充電制御部１２２は、現在の電力残量Ｐが充電開始時の電力残量（最小割合）Ｐｍｉｎ３以下かどうかを判定する。現在の電力残量Ｐが充電開始時の電力残量Ｐｍｉｎ３以下と判定されるまで、ステップ４５６が繰り返される。【０１０２】  ステップ４５６において現在の電力残量Ｐが充電開始時の電力残量（最小割合）Ｐｍｉｎ３以下であると判定された場合は、ステップ４５８において、充電制御部１２２は、充放電部１２４に二次電池装置１３０の充電を開始させる。【０１０３】  ステップ４６０はステップ４２０と同様である。ステップ４６２において、充電制御部１２２は、現在の電力残量Ｐが充電終了時の電力残量（最大割合）Ｐｍａｘ３以上かどうかを判定する。現在の電力残量Ｐが充電終了時の電力残量（最大割合）Ｐｍａｘ３以上であると判定された場合は、手順は図８Ｂのルーチンを出て、充電は終了する。【０１０４】  ステップ４６２において現在の電力残量Ｐが充電終了時の電力残量（最大割合）Ｐｍａｘ３以上でないと判定された場合は、充電制御部１２２は、ステップ４６４において充放電部１２４に二次電池装置１３０の充電を続けさせる。ステップ４６６はステップ４２６と同様である。【０１０５】  ステップ４６６において充電電圧が検出された場合には、手順はステップ４６０に戻って、ステップ４６２またはステップ４６６において手順が図８Ａのルーチンを出るまで、ステップ４６０〜４６６が繰り返される。【０１０６】  図９Ａは、アプリケーション１１０の中の電源管理機能に従って図１の電子機器１００のＣＰＵ１０２によって実行される充電開始時における表示装置１０８における表示動作のフローチャートを示している。この表示動作は、図８Ａおよび８Ｂにおけるステップ４１８、４３８および４５８の実行（充電開始）によって開始される表示動作である。【０１０７】  図９Ｂは、図９Ａの表示動作における表示装置１０８の表示画面の例を示している。【０１０８】  図９Ａを参照すると、ステップ５０２において、ＣＰＵ１０２は、充電制御部１２２の閾値設定記憶領域に格納された最大充電量Ｐｍａｘ１〜Ｐｍａｘ３の中の設定された所要の最大充電量または割合Ｐｍａｘを読み込む。ステ���プ５０４において、ＣＰＵ１０２は、図９Ｂの表示画面の例のように、読み込んだ所要の最大充電量または割合Ｐｍａｘ（例えば、８０％）を、充電中の状態を表示するアイコン（例えば、コンセント、プラグの絵）とともに表示装置１０８の表示画面中の所定の位置に表示する。それによって、ユーザに現在の所要の充電レベルを通知することができる。【０１０９】  ステップ５０６において、ＣＰＵ１０２は、所要の最大充電量または割合Ｐｍａｘの充電開始を通知するメッセージを所定時間（例えば、５秒）だけ、図９Ｂの表示画面の例のように、表示装置１０８の表示画面中の所定の位置に表示する。それによって、ユーザに現在の所要の充電レベルを強く認識させることができる。【０１１０】  図１０Ａは、アプリケーション１１０の中の電源管理機能に従って図１の電子機器１００のＣＰＵ１０２によって実行される充電終了時における表示装置１０８における表示動作のフローチャートを示している。この表示動作は、図８Ａおよび８Ｂにおけるルーチンの終了（充電終了）によって開始される表示動作である。【０１１１】  図１０Ｂは、図１０Ａの表示動作における表示装置１０８の表示画面の例を示している。【０１１２】  図１０Ａを参照すると、ステップ５１２において、ＣＰＵ１０２は、充電制御部１２２を介して、電力残量検出部１２８に充電終了時における電力残量を充電量または割合Ｐ（例えば、Ｐｍａｘ）として検出させて、その充電量または割合を読み込む。ステップ５１４において、ＣＰＵ１０２は、図１０Ｂの表示画面の例のように、その充電量Ｐ（例えば、８０％）を表示装置１０８の表示画面中の所定の位置に表示する。【０１１３】  ステップ５１６において、ＣＰＵ１０２は、電子機器１００の動作中、充電制御部１２２を介して、電力残量検出部１２８に電力残量を充電量または割合Ｐとして検出させて、その充電量または割合を読み込む。【０１１４】  ステップ５１８において、ＣＰＵ１０２は、検出された現在の電力残量が、充電終了時の充電量Ｐ−所定量Ｐｒ（例えば、１０％）（Ｐ−Ｐｒ（％））より小さいかどうかを判定し、即ち充電終了時の充電量Ｐより所定量Ｐｒ以上低下しているかどうかを判定する。充電終了時の充電量Ｐ−所定量Ｐｒ（Ｐ−Ｐｒ）より小さいと判定された場合は、手順はステップ５２０に進む。ステップ５１８において充電終了時の充電量Ｐ−所定量Ｐｒ（Ｐ−Ｐｒ）より小さいと判定されるまで、ステップ５１６〜５１８が繰り返される。【０１１５】  ステップ５２０において、ＣＰＵ１０２は、充電終了時の充電量Ｐの表示を停止する。それによって、余分な情報の表示を抑制し、電力の消費を低減する。【０１１６】  図１１は、電子機器１００の表示装置１０８における充電量設定の画面のさらに別の例を示している。【０１１７】  例えば、ユーザが携帯電話機としての電子機器１００を短い期間に頻繁にその不使用時にクレードル２２０に置いたりその使用のためにクレードル２２０から外したりするとする。そのような状況では、通常であれば、電子機器１００の二次電池装置１４０が満杯状態と満杯状態より僅かに少ない状態との間で頻繁に充電放電を繰り返すので、二次電池装置１４０の二次電池の最大可能充電容量���相対的に短い期間で相対的に大きく低下し、二次電池の寿命が短くなる。しかし、以上で説明した実施形態によれば、そのような状況であっても、電子機器１００の二次電池装置１４０は最大でも満杯状態より充分低いレベルまでしか充電されないように設定することができ、それによって二次電池装置１４０の二次電池の最大可能充電量の低下を抑制しまたはその低下の速さを緩和することができ、二次電池の寿命をより長くすることができる。【０１１８】  以上説明した実施形態は典型例として挙げたに過ぎず、その各実施形態の構成要素を組み合わせること、その変形およびバリエーションは当業者にとって明らかであり、当業者であれば本発明の原理および請求の範囲に記載した発明の範囲を逸脱することなく上述の実施形態の種々の変形を行えることは明らかである。
【図面の簡単な説明】
【０１１９】
【図１】図１は、本発明の実施形態による、充電に関連する電子機器１００の概略的構成と、電子機器における電源回路と、充電用の交流−直流（ＡＣ／ＤＣ）変換アダプタとの間の３種類の概略的結合形態を示している。
【図２】図２は、集積回路（ＩＣ）として実装される電源回路１２０の概略的構成を示している。
【図３】図３は、本発明の実施形態による、電子機器における電源回路と、充電用の交流−直流変換アダプタとの間の異なる可能な２種類の結合形態を示している。
【図４】図４は、図３の実施形態の変形である、本発明の別の実施形態による、電子機器における電源回路と、充電用の交流−直流変換アダプタと、ＵＳＢケーブルとの間の異なる可能な３種類の結合形態を示している。
【図５】図５は、図３の実施形態の別の変形である、本発明のさらに別の実施形態による、電子機器における電源回路と、充電用の交流−直流変換アダプタとの間の異なる可能な２種類の結合形態を示している。
【図６】図６は、図３または図５の実施形態のさらに別の変形である、本発明のさらに別の実施形態による、電子機器における電源回路と、充電用の交流−直流変換アダプタとの間の異なる可能な２種類の結合形態を示している。
【図７Ａ】図７Ａ〜７Ｄは、電子機器の表示装置における充電量設定の表示画面の例を示している。
【図７Ｂ】(図7Aで説明)
【図７Ｃ】(図7Aで説明)
【図７Ｄ】(図7Aで説明)
【図８Ａ】図８Ａおよび８Ｂは、電源回路の充電制御部によって実行される、充電制御のためのフローチャートを示している。
【図８Ｂ】(図8Aで説明)
【図９】図９Ａは、アプリケーションの中の電源管理機能に従って図１の電子機器のＣＰＵによって実行される充電開始時における表示装置における表示動作のフローチャートを示している。図９Ｂは、図９Ａの表示動作における表示装置の表示画面の例を示している。
【図１０】図１０Ａは、アプリケーションの中の電源管理機能に従って図１の電子機器のＣＰＵによって実行される充電終了時における表示装置における表示動作のフローチャートを示している。図１０Ｂは、図１０Ａの表示動作における表示装置の表示画面の例を示している。
【符号の説明】
【０１２０】  １００  電子機器  １２０  電源回路  １２２  充電制御部  １２４  充放電部  １２８  電力残量検出部  １３２  結合検出部  １５２  ＡＲＩＢコネクタ  １５４  クレードル端子部  １５６  ＵＳＢコネクタ  ２０２  交流−直流変換アダプタ  ２２０  充電用クレードル
【図１】
2010055576.tif 000003
【図２】
2010055576.tif 000004
【図３】
2010055576.tif 000005
【図４】
2010055576.tif 000006
【図５】
2010055576.tif 000007
【図６】
2010055576.tif 000008
【図７Ａ】
2010055576.tif 000009
【図７Ｂ】
2010055576.tif 000010
【図７Ｃ】
2010055576.tif 000011
【図７Ｄ】
2010055576.tif 000012
【図８Ａ】
2010055576.tif 000013
【図８Ｂ】
2010055576.tif 000014
【図９】
2010055576.tif 000015
【図１０】
2010055576.tif 000016
【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
二次電池を電源として使用できる電子装置であって、
外部電源から複数の結合方式によって供給電力を受け得る外部電源入力部と、
前記外部電源入力部から供給される供給電力を前記二次電池に供給する充電部と、
前記二次電池の充電量を検出する検出部と、
前記検出部によって検出された充電量が、外部電源と前記外部電源入力部の間の結合方式に対応する閾値を超えた場合に、前記外部電源入力部からの供給電力の前記二次電池への供給を抑制するよう前記充電部を制御する充電制御部と、
を具え、
前記外部電源入力部は、外部電源から第１の結合方式によって供給電力を受けるための第１の電源入力部と、外部電源から第２の結合方式によって供給電力を受けるための第２の電源入力部と、を有し、
前記充電制御部は、
前記検出された充電量が、前記第１の外部電源入力部に対応する第１の閾値を超えた場合に、前記第１の外部電源入力部からの供給電力の前記二次電池への供給を抑制するよう前記充電部を制御し、
前記検出された充電量が、前記第２の外部電源入力部に対応する第２の閾値を超えた場合に、前記第２の外部電源入力部からの供給電力の前記二次電池への供給を抑制するよう前記充電部を制御するものであること、
を特徴とする電子装置。
【請求項２】
前記外部電源入力部は、外部電源からの供給電力を供給する給電接続器との結合によって外部電源から供給電力を受けるための第１の外部電源入力部と、外部電源からの供給電力を供給する結合部を有する台に前記電子装置が載置された場合に、前記台の前記結合部との結合によって外部電源からの供給電力を受けるための第２の外部電源入力部と、を有し、
前記第２の外部電源入力部に対応する前記第２の閾値は、前記第１の外部電源入力部に対応する前記第１の閾値よりも低い値であること、
を特徴とする、請求項１に記載の電子装置。
【請求項３】
さらに、前記複数の結合方式と、前記複数の結合方式に対応する前記二次電池の充電量のそれぞれの閾値とを含む制御情報を格納する情報記憶部と、
前記外部電源入力部に供給電力を供給する外部電源と前記外部電源入力部との間の結合方式を特定する結合方式特定部と、
を有し、
前記充電制御部は、前記結合方式特定部によって特定された結合方式に対応する閾値を、前記格納部によって格納された前記制御情報から取得するものであること、
を特徴とする、請求項１または２に記載の電子装置。
【請求項４】
情報処理部および充電回路を有し二次電池を電源として使用できる電子装置において、外部電源から複数の結合方式によって供給電力を受け得る外部電源入力部と、前記外部電源入力部から供給される供給電力を前記二次電池に供給する充電部と、前記二次電池の充電量を検出する検出部と、を有する前記充電回路を制御するためのプログラムであって、
前記検出部によって検出された充電量が、外部電源と前記外部電源入力部の間の結合方式に対応する閾値を超えた場合に、前記外部電源入力部からの供給電力の前記二次電池への供給を抑制するよう前記充電部を制御する充電制御部として、前記情報処理部を機能させ、
前記外部電源入力部は、外部電源から第１の結合方式によって供給電力を受けるための第１の電源入力部と、外部電源から第２の結合方式によって供給電力を受けるための第２の電源入力部と、を有し、
前記充電制御部は、
前記検出された充電量が、前記第１の外部電源入力部に対応する第１の閾値を超えた場合に、前記第１の外部電源入力部からの供給電力の前記二次電池への供給を抑制するよう前記充電部を制御し、
前記検出された充電量が、前記第２の外部電源入力部に対応する第２の閾値を超えた場合に、前記第２の外部電源入力部からの供給電力の前記二次電池への供給を抑制するよう前記充電部を制御するものであること、
を特徴とするプログラム。
【請求項５】
前記外部電源入力部は、外部電源からの供給電力を供給する給電接続器との結合によって外部電源から供給電力を受けるための第１の外部電源入力部と、外部電源からの供給電力を供給する結合部を有する台に前記電子装置が載置された場合に、前記台の前記結合部との結合によって外部電源からの供給電力を受けるための第２の外部電源入力部と、を有し、
前記第２の外部電源入力部に対応する前記第２の閾値は、前記第１の外部電源入力部に対応する前記第１の閾値よりも低い値であること、
を特徴とする、請求項４に記載のプログラム。
【請求項６】
請求項４または５に記載のプログラムであって、
前記複数の結合方式と、前記複数の結合方式に対応する前記二次電池の充電量のそれぞれの閾値とを含む制御情報を格納する情報記憶部と、
前記外部電源入力部に供給電力を供給する外部電源と前記外部電源入力部との間の結合方式を特定する結合方式特定部と、
を有する電子装置として、前記情報処理部を機能させ、
前記充電制御部は、前記結合方式特定部によって特定された結合方式に対応する閾値を、前記格納部によって格納された前記制御情報から取得するものであること、
を特徴とするプログラム。
【請求項７】
外部電源から複数の結合方式によって供給電力を受け得る外部電源入力部を有し、二次電池を電源として使用できる電子装置において前記二次電池を充電する充電方法であって、
前記二次電池の充電量を検出する検出ステップと、
前記検出ステップによって検出された充電量が、外部電源と前記外部電源入力部の間の結合方式に対応する閾値を超えた場合に、前記外部電源入力部からの供給電力の前記二次電池への供給を抑制する充電制御ステップと、
を有し、
前記外部電源入力部は、外部電源から第１の結合方式によって供給電力を受けるための第１の電源入力部と、外部電源から第２の結合方式によって供給電力を受けるための第２の電源入力部と、を有し、
前記充電制御ステップは、
前記検出された充電量が、前記第１の外部電源入力部に対応する第１の閾値を超えた場合に、前記第１の外部電源入力部からの供給電力の前記二次電池への供給を抑制し、
前記検出された充電量が、前記第２の外部電源入力部に対応する第２の閾値を超えた場合に、前記第２の外部電源入力部からの供給電力の前記二次電池への供給を抑制する、
ことを特徴とする充電方法。
【請求項８】
前記外部電源入力部は、外部電源からの供給電力を供給する給電接続器との結合によって外部電源から供給電力を受けるための第１の外部電源入力部と、外部電源からの供給電力を供給する結合部を有する台に前記電子装置が載置された場合に、前記台の前記結合部との結合によって外部電源からの供給電力を受けるための第２の外部電源入力部と、を有し、
前記第２の外部電源入力部に対応する前記第２の閾値は、前記第１の外部電源入力部に対応する前記第１の閾値よりも低い値であること、
を特徴とする、請求項７に記載の充電方法。
【請求項９】
前記外部電源入力部に供給電力を供給する外部電源と前記外部電源入力部との間の結合方式を特定する結合方式特定ステップを有し、
前記充電制御ステップは、
前記結合方式特定ステップによって特定された結合方式に対応する閾値を、前記複数の結合方式と前記複数の結合方式に対応する前記二次電池の充電量のそれぞれの閾値とを含む制御情報を予め格納した情報記憶部から取得し、
前記検出ステップにより検出した充電量と前記取得した閾値とを用いて前記充電制御の判定処理を実行する、
ことを特徴とする、請求項７または８に記載の充電方法。
【請求項１０】
外部電源からの供給電力を受けて電荷を蓄積する蓄電部と、
外部電源から複数の結合方式によって供給電力を受け得る外部電源入力部と、
前記外部電源入力部から供給される供給電力を前記蓄電部に供給する充電部と、
前記蓄電部の充電量を検出する検出部と、
前記検出部によって検出された充電量が、外部電源と前記外部電源入力部の間の結合方式に対応する閾値を超えた場合に、前記外部電源入力部からの供給電力の前記蓄電部への供給を抑制するよう前記充電部を制御する充電制御部と、
を有する電源装置。
【請求項１１】
前記外部電源入力部は、外部電源から第１の結合方式によって供給電力を受けるための第１の電源入力部と、外部電源から第２の結合方式によって供給電力を受けるための第２の電源入力部と、を有し、
前記充電制御部は、
前記検出された充電量が、前記第１の外部電源入力部に対応する第１の閾値を超えた場合に、前記第１の外部電源入力部からの供給電力の前記蓄電部への供給を抑制するよう前記充電部を制御し、
前記検出された充電量が、前記第２の外部電源入力部に対応する第２の閾値を超えた場合に、前記第２の外部電源入力部からの供給電力の前記蓄電部への供給を抑制するよう前記充電部を制御するものであること、
を特徴とする、請求項１０に記載の電源装置。
【請求項１２】
前記外部電源入力部は、外部電源からの供給電力を供給する給電接続器との結合によって外部電源から供給電力を受けるための第１の外部電源入力部と、外部電源からの供給電力を供給する結合部を有する台に前記電源装置が載置された場合に、前記台の前記結合部との結合によって外部電源からの供給電力を受けるための第２の外部電源入力部と、を有し、
前記第２の外部電源入力部に対応する前記第２の閾値は、前記第１の外部電源入力部に対応する前記第１の閾値よりも低い値であること、
を特徴とする、請求項１１に記載の電源装置。
【請求項１３】
さらに、前記複数の結合方式と、前記複数の結合方式に対応する前記蓄電部の充電量のそれぞれの閾値とを含む制御情報を格納する情報記憶部と、
前記外部電源入力部に供給電力を供給する外部電源と前記外部電源入力部との間の結合方式を特定する結合方式特定部と、
を有し、
前記充電制御部は、前記結合方式特定部によって特定された結合方式に対応する閾値を、前記格納部によって格納された前記制御情報から取得するものであること、
を特徴とする、請求項１０または１１に記載の電源装置。
【国際調査報告】
2010055576.tif 000017
2010055576.tif 000018
2010055576.tif 000019
2010055576.tif 000020